(57)【要約】【課題】エアーフィルターの領域が目詰まりしても吸気能力と低騒音を低コストで維持できる吸気ファンの構成と、プロジェクターを提供する。【解決手段】プロジェクター１は、外装筐体１０に形成される開口部１１と、開口部１１から外気を吸気する吸気ファン５と、開口部１１に相対して設置され、吸気される外気の塵埃を除去するフィルター装置４と、を備え、吸気ファン５は、フィルター装置４の後段に、直列に配置される軸流ファン５１とシロッコファン５２とを有して構成される。【選択図】図２
2012032476.tif 000002
【特許請求の範囲】
【請求項１】
光束を射出する光源装置と、前記光束を画像情報に基づいて変調する光変調装置と、前記光源装置と前記光変調装置とを内部に収容する外装筐体と、を有するプロジェクターであって、
前記外装筐体に形成される開口部と、
前記開口部から外気を吸気する吸気ファンと、
前記開口部に相対して設置され、吸気される前記外気の塵埃を除去するフィルター装置と、を備え、
前記吸気ファンは、前記フィルター装置の後段に、直列に配置される軸流ファンと遠心ファンとを有して構成されていることを特徴とするプロジェクター。
【請求項２】
請求項１に記載のプロジェクターであって、
前記軸流ファンは、前記遠心ファンの前段に配置されていることを特徴とするプロジェクター。
【請求項３】
請求項１又は請求項２に記載のプロジェクターであって、
前記軸流ファンを複数備え、
前記複数の軸流ファンは、それぞれ並列に配置されていることを特徴とするプロジェクター。
【請求項４】
請求項１又は請求項２に記載のプロジェクターであって、
前記遠心ファンを複数備え、
前記複数の遠心ファンは、それぞれ並列に配置されていることを特徴とするプロジェクター。
【発明の詳細な説明】
【技術分野】
【０００１】
本発明は、プロジェクターに関する。
【背景技術】
【０００２】
従来、プロジェクターは、光源装置から射出された光束を光変調装置で画像情報に基づいて変調し、投写レンズ装置でスクリーン上に拡大投写する構成となっている。このようなプロジェクターは、光源装置や光変調装置を含め、プロジェクターを構成する部材が発熱するため、プロジェクターの機能を維持させるためには、発熱した部材を冷却することが必要となる。
【０００３】
そのために、プロジェクターは、外装筐体に吸気用開口部と排気用開口部を設け、外装筐体内部に冷却ファン及びダクト等を有する冷却機構を備えている。そして、プロジェクターは、冷却ファン（吸気ファン）の動作により、吸気用開口部から外気を吸気し、ダクト内を流動させ、発熱した部材に外気を吹き付けて冷却している。また、冷却して温まった外装筐体内部の空気（内気）は、冷却ファン（排気ファン）により排気用開口部から外装筐体外部に排気している。また、吸気ファンとしては、通常、遠心ファン（例えばシロッコファン）が採用されている。
【０００４】
また、吸気用開口部からダクト内に外気を吸気する際、一般的に、吸気用開口部の後段にフィルター装置が設置され、外気に含まれる塵埃を除去している。これにより、外気を光学部品に吹き付けた際、外気に含まれる塵埃が光学部品に付着して、その影が投写画像として投写されることを防止している。
【０００５】
なお、フィルター装置は、塵埃をエアーフィルターに付着させることにより、塵埃を除去しているので、フィルターに目詰まりが発生する。目詰まりが発生し始めると、吸気ファンの回転速度を上げることにより、冷却に必要な風量が減少しないように対応している。そのため、吸気ファンは、フィルターにある程度の目詰まりが発生しても冷却に必要な風量を確保できる高静圧なものが採用されている。
【０００６】
特許文献１では、吸気ファンが取り付けられるファン取付プレートと、ファン取付プレートに対して吸気ファンとは反対側に近接して取り付けられるエアーフィルターとを備え、ファン取付プレートには、吸気ファンにて吸入される空気が通る開口部、および開口部の周囲に外装筐体の内外を連通させる連通部が設けられ、エアーフィルターは、ファン取付プレートの開口部および連通部の両方を覆うことが開示されている。また、特許文献１では、一対の小型のシロッコファンをエアーフィルターに対して並べて設置した構造も開示されている。この構造により、吸気ファンが開口部を介して外気を吸入し、開口部に対応するエアーフィルターの領域が目詰まりしても、連通部に対応するエアーフィルターの領域は目詰まりしていないため、外装筐体内が負圧気味になっても、塵埃を含まない冷却用の空気を吸気できる。
【先行技術文献】
【特許文献】
【０００７】
【特許文献１】特開２００９−２１１０００号公報
【発明の概要】
【発明が解決しようとする課題】
【０００８】
エアーフィルターにある程度の目詰まりが発生しても、冷却に必要な風量を確保できる高静圧なファンとして、例えば上述したシロッコファン等の遠心ファンが考えられる。しかし、高静圧な遠心ファンは、一般的に高価であり、また、高静圧な遠心ファンを高回転で動作させることにより、高騒音となることが課題であった。
従って、エアーフィルターが目詰まりしても吸気能力と低騒音を低コストで維持できる吸気ファンの構成と、プロジェクターが要望されていた。
【課題を解決するための手段】
【０００９】
本発明は、上述した課題の少なくとも一部を解決するためになされたものであり、以下の形態または適用例として実現することが可能である。
【００１０】
（適用例１）本適用例に係るプロジェクターは、光束を射出する光源装置と、光束を画像情報に基づいて変調する光変調装置と、光源装置と光変調装置とを内部に収容する外装筐体と、を有するプロジェクターであって、外装筐体に形成される開口部と、開口部から外気を吸気する吸気ファンと、開口部に相対して設置され、吸気される外気の塵埃を除去するフィルター装置と、を備え、吸気ファンは、フィルター装置の後段に、直列に配置される軸流ファンと遠心ファンとを有して構成されていることを特徴とする。
【００１１】
このようなプロジェクターによれば、フィルター装置が目詰まりを発生しても、軸流ファンにより、冷却に必要な吸気能力を維持し、遠心ファンの静圧不足を補うことができる冷却ファンの構成を実現することができる。また、静圧の低い遠心ファンを用いることができることで、低騒音化と低コスト化を図ることができる。
【００１２】
（適用例２）上記適用例に係るプロジェクターにおいて、軸流ファンは、遠心ファンの前段に配置されていることが好ましい。
【００１３】
このようなプロジェクターによれば、軸流ファンを遠心ファンの前段に配置することにより、吸気能力を維持して遠心ファンの静圧不足を補うことができる。
【００１４】
（適用例３）上記適用例に係るプロジェクターにおいて、軸流ファンを複数備え、複数の軸流ファンは、それぞれ並列に配置されていることが好ましい。
【００１５】
このようなプロジェクターによれば、並列に配置される複数の軸流ファンにより、エアーフィルターの目詰まりが更に進んでも、吸気能力を維持して遠心ファンの静圧不足を更に補うことができる。
【００１６】
（適用例４）上記適用例に係るプロジェクターにおいて、遠心ファンを複数備え、複数の遠心ファンは、それぞれ並列に配置されていることが好ましい。
【００１７】
このようなプロジェクターによれば、並列に配置される複数の遠心ファンにより、エアーフィルターの目詰まりが更に進んでも、冷却に必要な風量を確保することができる。
【図面の簡単な説明】
【００１８】
【図１】第１実施形態に係るプロジェクターの光学装置の概構成を模式的に示す平面図。
【図２】冷却機構の構成を示す概斜視図。
【図３】第２施形態に係る冷却機構の概構成を模式的に示す概平面図。
【発明を実施するための形態】
【００１９】
以下、実施形態を図面に基づいて説明する。
（第１実施形態）
【００２０】
図１は、第１施形態に係るプロジェクター１の光学系の概構成を模式的に示す平面図である。なお、図１は、プロジェクター１内部に収容される光学ユニット２と、プロジェクター１外部に設置されるスクリーンＳＣを図示している。図１を参照して、プロジェクター１の構成と動作、及び光学系を構成する光学ユニット２の構成と動作を簡略に説明する。
【００２１】
本実施形態のプロジェクター１は、光源装置２１から射出される光束を画像情報に基づき変調し、スクリーンＳＣ等に拡大投写する装置である。また、プロジェクター１は、外装を構成する外装筐体１０（図２参照）を備えている。また、プロジェクター１の外装筐体１０内部には、光学ユニット２、冷却機構３（図２参照）、電源装置（図示省略）、プロジェクター１の動作を制御する制御部（図示省略）を含む回路ユニット（図示省略）等を備えている。
【００２２】
本実施形態の光学ユニット２は、制御部の制御により、光源装置２１（光源ランプ２１１）から射出された光束を３つの色光に分離し、分離された色光毎に光変調装置で変調し、変調された各色光を色合成光学装置で合成し、合成された光学像を投写するユニットである。光学ユニット２は、光源装置２１、照明光学装置２２、色分離光学装置２３、リレー光学装置２４、光学装置２５、及び投写光学装置としての投写レンズ装置２６を備えている。また、光学ユニット２は、これらの光学装置２１〜２５を構成する光学部品等を所定位置に収容する光学部品用筐体２７を備えている。
【００２３】
光源装置２１は、光源としての光源ランプ２１１、及びリフレクター２１２等を備えている。光源装置２１は、光源ランプ２１１の発光により射出された光束をリフレクター２１２によって反射させて射出方向を揃え、照明光学装置２２に向けて射出する。なお、本実施形態の光源ランプ２１１は、超高圧水銀ランプ等の放電式ランプを採用している。
【００２４】
照明光学装置２２は、光源装置２１から射出された光束に対し、照明光軸Ａに直交する面内での照度を均一化するものである。照明光学装置２２は、第１レンズアレイ２２１、第２レンズアレイ２２２、偏光変換素子２２３、及び重畳レンズ２２４を備えている。また、照明光学装置２２は、３つのフィールドレンズ２２５を備えている。第１レンズアレイ２２１及び第２レンズアレイ２２２は、重畳レンズ２２４と共に、光源装置２１から射出された光束を後述する光変調装置（液晶パネル２５２）の表面に略重畳させる。偏光変換素子２２３は、第２レンズアレイ２２２から射出されたランダム偏光光を液晶パネル２５２で利用可能な略１種類の偏光光に揃える機能を有する。フィールドレンズ２２５は、光学装置２５の３つの液晶パネル２５２の手前に配置され、第２レンズアレイ２２２から射出された各部分光束をその中心軸に対して平行な光束に変換する。
【００２５】
色分離光学装置２３は、照明光学装置２２からの照明光束を赤色（Ｒ）光、緑色（Ｇ）光、及び青色（Ｂ）光の３つの色光に分離し、対応する３つの液晶パネル２５２に導光するものである。色分離光学装置２３は、２枚のダイクロイックミラー２３１，２３２、及び反射ミラー２３３を備えている。
【００２６】
リレー光学装置２４は、色分離光学装置２３で分離された色光（本実施形態ではＲ光）に対し、光路の長さが他の色光（Ｇ光、Ｂ光）の光路の長さよりも長くなるため、光の発散等による光の利用効率の低下を防止し、光変調装置（本実施形態ではＲ光用光変調装置）まで導くものである。リレー光学装置２４は、入射側レンズ２４１、リレーレンズ２４３、及び反射ミラー２４２，２４４を備えている。なお、本実施形態の光学ユニット２は、リレー光学装置２４がＲ光を導く構成としているが、これに限らず、例えば、Ｂ光を導く構成としてもよい。
【００２７】
光学装置２５は、各光変調装置に入射した各色光を画像情報に基づいて変調し、変調された各色光を色合成光学装置で合成し、合成された光学像を投写レンズ装置２６に射出するものである。光学装置２５は、光変調装置を構成する３つの液晶パネル２５２、３つの入射側偏光板２５１、３つの射出側偏光板２５４、及び色合成光学装置としてのクロスダイクロイックプリズム２５５を備えている。また、３つの液晶パネル２５２は、Ｒ光用光変調装置としてのＲ光用液晶パネル２５２Ｒ、Ｇ光用光変調装置としてのＧ光用液晶パネル２５２Ｇ、及びＢ光用光変調装置としてのＢ光用液晶パネル２５２Ｂで構成されている。なお、本実施形態の光変調装置を構成する３つの液晶パネル２５２は透過型を採用している。クロスダイクロイックプリズム２５５は、三角柱状の４つのプリズムを貼り合わせることにより、略正方形断面の角柱状に形成されている。
【００２８】
また、光学装置２５において、３つの液晶パネル２５２と、３つの射出側偏光板２５４と、クロスダイクロイックプリズム２５５とは、ユニット化されて、光学部品用筐体２７に固定される。詳細には、クロスダイクロイックプリズム２５５の隣接する３方向の入射面に、保持部材（図示省略）を介して、対応する３つの射出側偏光板２５４と、３つの液晶パネル２５２とが保持固定されてユニット化される。なお、光学装置２５を構成する３つの入射側偏光板２５１は、ユニット化されず、光学部品用筐体２７に固定される。
【００２９】
投写レンズ装置２６は、光学装置２５からの光をスクリーンＳＣに拡大投写するものである。投写レンズ装置２６は、１つ又は複数のレンズを１つのレンズ群として、複数のレンズ群を備えている。
【００３０】
光学部品用筐体２７は、内部に所定の照明光軸Ａが設定され、上述した各光学装置２１〜２５を照明光軸Ａに対する所定位置に収容する。なお、上述した各光学装置２１〜２５及び投写レンズ装置２６に関しては、種々の一般的なプロジェクターの光学系として利用されているため、詳細な説明を省略する。
【００３１】
図２は、冷却機構３の構成を示す概斜視図である。また、図２は、冷却機構３を構成する吸気側冷却機構３１を示している。図２を参照して、冷却機構３（吸気側冷却機構３１）及び吸気ファン５の構成及び動作を説明する。
【００３２】
プロジェクター１の冷却機構３は、吸気側冷却機構３１と、排気側冷却機構（図示省略）と、中間冷却機構（図示省略）とを備えて構成されている。吸気側冷却機構３１は、外気を吸気して外装筐体１０内部の、電源装置や、塵埃の抑制を必要とする光学部品を冷却する機構である。排気側冷却機構は、外装筐体１０内部の温まった内気を外部に排気する機構である。中間冷却機構は、内気を用いて光学部品等を冷却する機構である。
【００３３】
なお、中間冷却機構は、図示省略するが、本実施形態では、シロッコファンやダクト（いずれも図示省略）を備えて、吸気側冷却機構３１の動作により外装筐体１０内部に吐出された温まった内気を吸気して光源装置２１を冷却する。なお、光源装置２１は、内気の温度に比較して高温となるため、内気を利用して光源装置２１を冷却することができる。
【００３４】
また、排気側冷却機構は、図示省略するが、本実施形態では、軸流ファンやダクト（いずれも図示省略）を備えて、吸気側冷却機構３１と中間冷却機構とにより、熱を奪って吐出された温まった内気をプロジェクター１の外部に排気する。
【００３５】
吸気側冷却機構３１は、光学部品冷却機構３１１と電源装置冷却機構（図示省略）とを備えて構成されている。光学部品冷却機構３１１は、エアーフィルター４１を有するフィルター装置４を備えて光学部品を冷却する機構である。電源装置冷却機構は、電源装置を冷却する機構である。電源装置は、各部に電力を供給する電源部（図示省略）と、光源装置２１に電力を供給するバラスト（図示省略）とで構成されている。なお、電源装置冷却機構は、軸流ファンやダクト（いずれも図示省略）を備え、外装筐体１０に形成した開口部（図示省略）からフィルター装置４を介さずに外気を吸気して電源装置を冷却する。
【００３６】
光学部品冷却機構３１１は、上述したように、フィルター装置４を介して外気を吸気し、光学部品を冷却する機構である。光学部品冷却機構３１１は、詳細には、光学部品として、光学装置２５と、照明光学装置２２の偏光変換素子２２３とを冷却する。
【００３７】
光学部品冷却機構３１１は、図２に示すように、フィルター装置４と、吸気ファン５と、吸気ダクト６とを備えて構成されている。フィルター装置４は、プロジェクター１の外装筐体１０の側面に形成する開口部１１に相対して設置される。また、フィルター装置４に相対して吸気ダクト６が設置されている。開口部１１とフィルター装置４と吸気ダクト６（吸気口６１１）とは、隣接して設置される。
【００３８】
吸気ダクト６は、フィルター装置４に隣接して設置される第１ダクト６１と、第１ダクト６１の吐出口６１２に接続される第２ダクト６２と、第２ダクト６２から分岐される第３ダクト（図示省略）とを有して構成されている。
【００３９】
吸気ファン５は、１つの軸流ファン５１と、１つの遠心ファンとを備えて構成されている。本実施形態では、遠心ファンとしてシロッコファン５２を採用している。軸流ファン５１は、回転軸方向から吸気した空気を、回転軸方向に吐出する構造となっている。また、シロッコファン５２は、回転軸方向から吸気した外気を、回転による遠心力方向に吐出する構造となっている。また、本実施形態の軸流ファン５１とシロッコファン５２とは、軸流ファン５１から吐出された外気をシロッコファン５２が吸気するように、軸流ファン５１はシロッコファン５２の前段に直列に配置されている。
【００４０】
第１ダクト６１は、筒状に形成される。そして、第１ダクト６１の吸気口６１１に相対する状態で軸流ファン５１が縦置き（回転軸が吸気口６１１に垂直）に設置される。また、軸流ファン５１の後段側の第１ダクト６１は、内部に、シロッコファン５２が、第１ダクト６１の壁に沿わせて横置き（回転軸が吸気口６１１に平行）に設置される。本実施形態のシロッコファン５２は、詳細には、第１ダクト６１の底面側の壁に設置している。
【００４１】
第２ダクト６２は、シロッコファン５２の吐出口５２１（第１ダクト６１の吐出口６１２）に相対して設置されている。第２ダクト６２は、光学部品用筐体２７の下側を経由して光学装置２５の下部まで延接されている。第２ダクト６２は、光学装置２５の下側で、上方に向かって開口する３つの円筒状の吐出部６２１が形成されている。吐出部６２１は、３つの色光の液晶パネル２５２に対応させてそれぞれの下側に形成されている。吐出部６２１は、Ｒ光用液晶パネル２５２Ｒに対応するＲ光用吐出部６２１Ｒと、Ｇ光用液晶パネル２５２Ｇに対応するＧ光用吐出部６２１Ｇと、Ｂ光用液晶パネル２５２Ｂに対応するＢ光用吐出部６２１Ｂとを備えている。
【００４２】
次に、光学部品冷却機構３１１の動作を説明する。なお、図２では、外気の流動方向を矢印で示している。
【００４３】
吸気ファン５（軸流ファン５１、シロッコファン５２）が駆動することにより、開口部１１を介して外気が吸気ダクト６（第１ダクト６１）内に流入する。この際、開口部１１と第１ダクト６１の間に設置したフィルター装置４（エアーフィルター４１）により、外気に含まれる塵埃が付着される。このフィルター装置４の動作により、第１ダクト６１には、塵埃が除去された外気が流入する。
【００４４】
第１ダクト６１の吸気口６１１から流入した外気は、軸流ファン５１に流入し吐出される。軸流ファン５１から吐出された外気は、軸流ファン５１の後段に設置される第１ダクト６１内を流動する。第１ダクト６１内を流動した外気は、次に、シロッコファン５２に流入し吐出口５２１から吐出される。
【００４５】
なお、本実施形態の吸気ファン５の構成では、軸流ファン５１により、外気を第１ダクト６１に流入させる。そして、軸流ファン５１に直列に配置されるシロッコファン５２により、吐出口５２１から吐出する外気の静圧（空気を送り出す力）を確保している。この吸気ファン５の構成により、フィルター装置４（エアーフィルター４１）に目詰まりが発生した際、光学部品を冷却するための静圧を維持することができる。
【００４６】
シロッコファン５２の吐出口５２１から吐出された外気は、第２ダクト６２内を流動する。第２ダクト６２を流動した外気は、３つの吐出部６２１から上方向に吐出される。Ｒ光用吐出部６２１Ｒから吐出された外気は、上方に位置する光学装置２５のＲ光用液晶パネル２５２Ｒ、入射側偏光板２５１、及び射出側偏光板２５４に吹き付けて、光学部品用筐体２７上部に吹き抜ける。
【００４７】
この動作により、外気は、Ｒ光用液晶パネル２５２Ｒ、入射側偏光板２５１、及び射出側偏光板２５４での発熱した熱を奪うことで、Ｒ光用液晶パネル２５２Ｒ、入射側偏光板２５１、及び射出側偏光板２５４を冷却する。なお、他の吐出部６２１（Ｇ光用吐出部６２１Ｇ、Ｂ光用吐出部６２１Ｂ）から吐出される外気も、Ｒ光用吐出部６２１Ｒから吐出する外気と同様に動作することにより、光学装置２５の対応する光学部品を同様に冷却する。
【００４８】
一方、第２ダクト６２から分岐される第３ダクトは、図示省略するが、本実施形態では、偏光変換素子２２３を収容する光学部品用筐体２７の側面領域まで延接される。なお、偏光変換素子２２３を収容する光学部品用筐体２７の側面部には開口部（図示省略）が形成されている。
【００４９】
このように構成される第３ダクトにおいて、第２ダクト６２に流入した外気の一部が分岐され、第３ダクトに流入する。そして、第３ダクトを流動した外気は、光学部品用筐体２７の側面部の開口部から光学部品用筐体２７内部に吐出される。光学部品用筐体２７内部に吐出された外気は、偏光変換素子２２３に吹き付ける。この動作により、外気は、偏光変換素子２２３で発熱した熱を奪い偏光変換素子２２３を冷却する。
【００５０】
上述した第１実施形態によれば、以下の効果が得られる。
本実施形態のプロジェクター１において、吸気ファン５が、フィルター装置４の後段で、直列に配置される軸流ファン５１とシロッコファン５２とを有して構成されている。この構成により、フィルター装置４に目詰まりが発生しても、シロッコファン５２に直列に配置される軸流ファン５１により、冷却に必要な静圧を維持することができる。従って、フィルター装置４に目詰まりが発生しても、吸気能力を維持できる吸気ファン５の構成が実現する。
【００５１】
本実施形態のプロジェクター１において、フィルター装置４に目詰まりが発生しても、吸気ファン５により、光学装置２５や偏光変換素子２２３を適切に冷却でき、光学装置２５や偏光変換素子２２３の品質を長期間維持することができる。
【００５２】
また、従来の高静圧のシロッコファン等を採用せずに、軸流ファン５１と、従来のシロッコファンに比較して低静圧のシロッコファン５２を採用することにより吸気ファン５を構成できるため、低騒音化と低コスト化を図ることができる。
【００５３】
本実施形態のプロジェクター１において、軸流ファン５１は、シロッコファン５２の前段に配置されている。この構成により、風量を確保するのに有利な軸流ファン５１を、静圧を確保するのに有利なシロッコファン５２の前段に配置することにより、吸気能力（風量と静圧）を確保する効率的な配置となる。また、軸流ファン５１を外装筐体１０の近傍で第１ダクト６１に対して縦置きに設置し、シロッコファン５２を第１ダクト６１の壁に沿わせて設置することにより大型化を抑制できる。
（第２実施形態）
【００５４】
図３は、第２施形態に係る冷却機構７の概構成を模式的に示す概平面図である。なお、図３は、第１実施形態での冷却機構３（吸気側冷却機構３１）を構成する光学部品冷却機構３１１に対応しており、第１実施形態とは別形態の光学部品冷却機構７１１を示している。その他の冷却機構７は、第１実施形態に対応して同様に構成されている。なお、図３では、外装筐体１０に形成される吸気用の開口部は図示を省略している。図３を参照して、冷却機構７の構成及び動作を説明する。
【００５５】
なお、第１実施形態の光学部品冷却機構３１１では、吸気ファン５を構成する軸流ファン５１は１つ採用していたが、本実施形態の光学部品冷却機構７１１では、吸気ファン９を構成する軸流ファン９１は２つ採用している点が異なるところである。その他は、光学部品冷却機構３１１と同様に構成されている。従って異なる点を詳細に説明し、同様の箇所は、符号が異なるのみで機能は同様のため、説明は簡潔に行う。
【００５６】
光学部品冷却機構７１１は、フィルター装置８と、吸気ファン９と、吸気ダクト１００とを備えて構成されている。吸気ファン９は、２つの軸流ファン９１（９１Ａ，９１Ｂ）と、１つのシロッコファン９２を採用している。また、２つの軸流ファン９１は、並列に配置されている。また、軸流ファン９１とシロッコファン９２とは、直列に配置されている。そして、軸流ファン９１は、シロッコファン９２の前段に配置されている。なお、軸流ファン９１Ａと軸流ファン９１Ｂとは、同様の仕様の軸流ファンを採用している。
【００５７】
吸気ダクト１００は、フィルター装置８に隣接して設置される第１ダクト１１０と、第１ダクト１１０の吐出口１１２に接続される第２ダクト１２０と、第２ダクト１２０から分岐される第３ダクト（図示省略）とを有して構成されている。
【００５８】
第１ダクト１１０は、筒状に形成される。そして、第１ダクト１１０の吸気口１１１近傍に、吸気口１１１に相対する状態で軸流ファン９１が縦置き（回転軸が吸気口１１１に垂直）で、並んで設置される。また、軸流ファン９１の後段側の第１ダクト１１０は、なだらかに傾斜し、その内部に、シロッコファン９２が、第１ダクト１１０の壁に沿わせて横置き（回転軸が吸気口１１１に平行）に設置（第１実施形態と同様に設置）される。
【００５９】
第２ダクト１２０は、シロッコファン９２の吐出口９２１に相対して設置されている。なお、第２ダクト１２０は、光学装置２５の下側まで延接しており、それ以降の構成は、第１実施形態の第２ダクト６２と同様である。第２ダクト１２０から分岐される第３ダクトの構成も第１実施形態の第３ダクトと同様となる。
【００６０】
次に、光学部品冷却機構７１１の動作を説明する。なお、図３では、外気の流動方向を矢印で示している。
【００６１】
吸気ファン９は（軸流ファン９１（９１Ａ，９１Ｂ）、シロッコファン９２）が駆動することにより、開口部を介して外気が吸気ダクト１００（第１ダクト１１０）内に流入する。この際、開口部と第１ダクト１１０の間に設置したフィルター装置８（エアーフィルター８１）により、外気に含まれる塵埃が付着される。このフィルター装置８の動作により、第１ダクト１１０には、塵埃が除去された外気が流入する。
【００６２】
第１ダクト１１０の吸気口１１１から流入した外気は、軸流ファン９１Ａ及び軸流ファン９１Ｂにそれぞれ流入し吐出される。２つの軸流ファン９１から吐出された外気は、軸流ファン９１の後段に設置される第１ダクト１１０内を流動する。第１ダクト１１０内を流動した外気は、次に、シロッコファン９２に流入し吐出口９２１から吐出される。シロッコファン９２の吐出口９２１から吐出された外気は、第２ダクト１２０内を流動する。なお、第２ダクト１２０を流動した外気の動作、及び第２ダクト１２０から分岐して第３ダクト内を流動する外気の動作に関しては、第１実施形態の第２ダクト６２及び第３ダクトと同様となるため、説明を省略する。
【００６３】
本実施形態の吸気ファン９の構成により、フィルター装置８に目詰まりが発生した際、光学部品を冷却するための風量と静圧を維持することができる。なお、本実施形態では、２つの軸流ファン９１（９１Ａ，９１Ｂ）が吸気する風量と、シロッコファン９２の吸気する風量とをバランスよく対応させることができる仕様のファンを採用している。また、対応させる制御を行っている。
【００６４】
上述した第２実施形態によれば、第１実施形態での効果を同様に奏する以外に、以下の効果が得られる。
本実施形態のプロジェクター１において、吸気ファン９が、並列に配置される２つの軸流ファン９１（９１Ａ，９１Ｂ）を備えることにより、フィルター装置４の目詰まりが更に進んでも、吸気能力を維持してシロッコファン９２の静圧不足を更に補うことができる。
【００６５】
なお、上述した実施形態に限定されず、その要旨を逸脱しない範囲において種々の変更や改良等を加えて実施することが可能である。変形例を以下に述べる。
【００６６】
前記第２実施形態のプロジェクター１において、吸気ファン９は、２つの軸流ファン９１を並列に配置する構成である。しかし、これに限られず、軸流ファンは１つで、シロッコファンを複数それぞれ並列に配置する構成であってもよい。この構成によれば、並列に配置される複数のシロッコファンにより、フィルター装置の目詰まりが更に進んでも、冷却に必要な風量を維持することができる。この場合、複数のシロッコファンが吸気する風量と、軸流ファンの吸気する風量とをバランスよく対応させることで、効率的な冷却を行うことができる。
【００６７】
前記第２実施形態のプロジェクター１において、吸気ファン９を構成する２つの軸流ファン９１（９１Ａ，９１Ｂ）は、同様の仕様の軸流ファンを採用しているが、異なる仕様の軸流ファンを採用してもよい。
【００６８】
前記第２実施形態のプロジェクター１において、吸気ファン９に２つの軸流ファン９１を採用しているが、３つ以上の軸流ファンを採用してもよい。
【００６９】
前記第１実施形態のプロジェクター１において、吸気ファン５を構成する遠心ファンとしてシロッコファン５２を採用しているが、これに限られず、回転軸方向から吸気した外気を、回転による遠心力方向に吐出する構造のファンであれば採用することができる。これは、第２実施形態においても同様である。
【００７０】
前記第１実施形態のプロジェクター１において、シロッコファン５２は、第１ダクト６１の底面側の壁に沿って設置しているが、これに限られず、第１ダクト６１の底面側以外の壁に沿って設置してもよい。吸気ファン５（軸流ファン５１、シロッコファン５２）の設置場所は、プロジェクター１内部に設置される各種構成部に応じるダクトの形状に合わせて設置することでよい。これは、第２実施形態においても同様である。
【００７１】
前記第１実施形態のプロジェクター１において、冷却機構３は、３つの機構（吸気側冷却機構３１、排気側冷却機構、中間冷却機構）から構成されているが、これ以上の機構で構成されていてもよい。これは、第２実施形態においても同様である。
【００７２】
前記第１実施形態のプロジェクター１において、フィルター装置４を備えた光学部品冷却機構３１１は、光学装置２５と偏光変換素子２２３とを冷却しているが、塵埃を含まない外気による冷却を必要とするこれ以外の光学部品も冷却してもよい。これは、第２実施形態においても同様である。
【００７３】
前記第１、第２実施形態のプロジェクター１において、光学ユニット２は、Ｒ光、Ｇ光、Ｂ光に対応する３つの光変調装置を用いる、いわゆる３板方式を採用している。しかし、これに限られず、単板方式の光変調装置を採用してもよい。また、コントラストを向上させるための光変調装置を追加して採用してもよい。
【００７４】
前記第１、第２実施形態のプロジェクター１において、光学ユニット２は、透過型の光変調装置（透過型の液晶パネル２５２）を採用している。しかし、これに限られず、反射型の光変調装置を採用してもよい。
【００７５】
前記第１、第２実施形態のプロジェクター１において、光学ユニット２は、光変調装置として液晶パネル２５２を採用している。しかし、これに限られず、一般に、入射光束を画像情報に基づいて変調するものであればよく、例えば、マイクロミラー型の光変調装置等、他の方式の光変調装置を採用することができる。なお、マイクロミラー型の光変調装置としては、例えば、ＤＭＤ（Digital Micromirror Device）を採用することができる。
【００７６】
前記第１、第２実施形態のプロジェクター１において、光学ユニット２は、光源装置２１から射出された光束の照度を均一化する照明光学装置２２として、第１レンズアレイ２２１、第２レンズアレイ２２２からなるレンズインテグレーター光学系を採用している。しかし、これに限定されるものではなく、導光ロッドからなるロッドインテグレーター光学系も採用することができる。
【００７７】
前記第１、第２実施形態のプロジェクター１の光学ユニット２において、光源装置２１の光源ランプ２１１は、超高圧水銀ランプ等の放電式ランプを採用しているが、レーザーダイオード、ＬＥＤ（Light Emitting Diode）、有機ＥＬ（Electro Luminescence）素子、シリコン発光素子等の各種固体発光素子を採用してもよい。
【符号の説明】
【００７８】
１…プロジェクター、２…光学ユニット、３…冷却機構、４…フィルター装置、５…吸気ファン、６…吸気ダクト、１０…外装筐体、１１…開口部、２５…光学装置、３１…吸気側冷却機構、５１…軸流ファン、５２…シロッコファン、６１…第１ダクト、６２…第２ダクト、２２３…偏光変換素子、３１１…光学部品冷却機構。
【図１】
2012032476.tif 000003
【図２】
2012032476.tif 000004
【図３】
2012032476.tif 000005